(57)【要約】【課題】  角型の容器であってもストレッチラベルを傷付けることなく、所定の位置に簡易にかつ精度良くセットすることができるトレッチラベル装着治具を提供する。【解決手段】  比較的柔らかく可撓性を有し容器外面に摺接し得る板状の摺接部材（Ａ部材）１３と、容器の外面で少なくとも一部を囲い得る形状を有し内外の方向に開閉可能である開閉部材１５と、一つのＡ部材１３を保持し開閉部材１５の開動とともにストレッチラベルを内側から押し広げ得るラベル押圧部材１７とを有するアダプタ（Ｂ部材）１９と、容器を適宜余裕を以って収容し得るよう該容器の外形形状と略同様の内形形状を有するとともに、左右二つのＢ部材１９を開閉可能に保持する枠体部材（Ｃ部材）２１とを備える。【選択図】図１
2005263232.tif 000002
【特許請求の範囲】
【請求項１】
容器外面にストレッチラベルを装着する際に用いられる治具であって、少なくとも下記の複数のＡ部材、複数のＢ部材およびＣ部材からなることを特徴とするストレッチラベル装着治具。
（Ａ部材）可撓性を有し前記容器外面に摺接し得る板状の摺接部材
（Ｂ部材）前記容器の外面で少なくとも一部を囲い得る形状を有し内外の方向に開閉可能である開閉部材と、一つのＡ部材を保持し前記開閉部材の開動とともに前記ストレッチラベルを内側から押し広げ得るラベル押圧部材とを有するアダプタ
（Ｃ部材）前記容器を適宜余裕を以って収容し得る該容器の外形形状と略同様の内形形状を有するとともに、複数のＢ部材を開閉可能に保持する枠体部材
【請求項２】
Ａ部材に、左右両端の下方から上辺に向って傾斜する二つの傾斜辺を設けたことを特徴とする請求項１に記載のストレッチラベル装着治具。
【請求項３】
Ａ部材に、前記容器の角を覆い得る少なくとも一つの湾曲形状を含むことを特徴とする請求項１または２に記載のストレッチラベル装着治具。
【請求項４】
Ａ部材が、前記ストレッチラベルの高さ幅と同一の高さ幅を有することを特徴とする請求項１乃至３の何れか一つに記載のストレッチラベル装着治具。
【請求項５】
Ａ部材が、前記ストレッチラベルの高さ幅より適度に大きい高さ幅か、逆に適度に小さい高さ幅を有することを特徴とする請求項１乃至３の何れか一つに記載のストレッチラベル装着治具。
【請求項６】
Ａ部材が、樹脂性フィルムで構成されることを特徴とする請求項１乃至５の何れか一つに記載のストレッチラベル装着治具。
【請求項７】
Ａ部材が、厚さ１０〜２００μｍであることを特徴とする請求項１乃至６の何れか一つに記載のストレッチラベル装着治具。
【請求項８】
Ｂ部材に、Ｃ部材との連結に際しＣ部材の対応する位置の形状と略同一の形状を与えたことを特徴とする請求項１に記載のストレッチラベル装着治具。
【請求項９】
Ｂ部材に、前記容器の角を囲い得る少なくとも一つの湾曲形状を含むことを特徴とする請求項１または８に記載のストレッチラベル装着治具。
【請求項１０】
Ｂ部材の前記ラベル押圧部材の両側端に、前記ストレッチラベルを所定の角度で外側に広げる第２押圧部材を設けたことを特徴とする請求項１，８，９の何れか一つに記載のストレッチラベル装着治具。
【請求項１１】
Ｂ部材の前記ラベル押圧部材に、内方の斜め上方に向く所定の傾斜角度を与えたことを特徴とする請求項１，８，９，１０の何れか一つに記載のストレッチラベル装着治具。
【請求項１２】
Ｃ部材に、前記容器の角を囲い得る少なくとも一つの湾曲形状を含むことを特徴とする請求項１または８に記載のストレッチラベル装着治具。
【請求項１３】
各Ｂ部材とＣ部材との間に、各Ｂ部材の開閉可能となる動作性を保持しつつ双方を連結する複数の連結部材を備えることを特徴とする請求項１、または８乃至１２の何れか一つに記載のストレッチラベル装着治具。
【請求項１４】
前記各連結部材のうち所定の連結部材同士の間、もしくは所定の連結部材とＣ部材との間にバネを装着して各Ｂ部材に閉動力を与えることを特徴とする請求項１３に記載のストレッチラベル装着治具。
【請求項１５】
前記バネの復帰力が、０．１〜３．０ｋｇであることを特徴とする請求項１４に記載のストレッチラベル装着治具。
【請求項１６】
Ｃ部材に、Ｂ部材の開動にロックを掛けるロック部材を設け、
Ｂ部材に、該ロック部材に係合する被ロック部を設けたたことを特徴とする請求項１、または８乃至１６の何れか一つに記載のストレッチラベル装着治具。
【請求項１７】
Ｃ部材の前記ロック部材に、鍵状の係止突起を設け、
Ｂ部材の被ロック部が、該係止突起に係合するＢ部材の一部に形成した開口からなることを特徴とする請求項１６に記載のストレッチラベル装着治具。
【請求項１８】
Ｃ部材に、もしくはＣ部材と前記ロック部材との間に、Ｂ部材の前記被ロック部との係合を解除するロック解除部材を設けたことを特徴とする請求項１６または１７に記載のストレッチラベル装着治具。
【請求項１９】
Ｃ部材の高さで、前記ストレッチラベルの装着位置を規制することを特徴とする請求項１、または１２乃至１８の何れか一つに記載のストレッチラベル装着治具。
【請求項２０】
前記容器が所謂四角型状の角型である場合、前記Ｂ部材の開閉部材が該容器の一側面及び該一側面の両端側の一対向する両側面の一部を囲うコ字状の形状を有し、Ｃ部材は所謂四角形状の角型の形状を有することを特徴とする請求項１乃至１９の何れか一つに記載のストレッチラベル装着治具。
【請求項２１】
請求項１、または８乃至１１の何れかに記載の複数のＢ部材の前記各ラベル押圧部材の外側に前記ストレッチラベルを位置させ、
各Ｂ部材を開動させ、各Ｂ部材の前記各ラベル押圧部材で前記ストレッチラベルを外方に押し広げるとともに、
請求項１、または１２乃至１８の何れかに記載のＣ部材のロック部材で各Ｂ部材の開動にロックを掛け、
Ｃ部材の下方より、Ｃ部材の内側、各Ｂ部材の内側、請求項１乃至７の何れかに記載の各Ａ部材の内側の順に前記容器を収容させ、
前記ストレッチラベルを前記容器の外周面の方向に押し当てるとともに、一体状態のＡ部材、Ｂ部材、及びＣ部材を下方に移動させるか、あるいは前記容器を上方に移動させるかすることで、
当該相対的な移動とともに前記ストレッチラベルを前記容器の外周面に装着することを特徴とするストレッチラベル装着方法。
【発明の詳細な説明】
【技術分野】
【０００１】
本発明は、トナー、薬品、化粧品、食料品、飲料水等の粉体や液体が充填される容器の外表面にストレッチラベルを装着するストレッチラベル装着治具及び装着方法に関する。
【背景技術】
【０００２】
従来、容器として、例えばトナー容器には熱収縮を利用したシュリンクでラベルが貼られている。ラベルの装着によりトナー容器に充填されているトナーが例えばシアン、マゼンタ、イエロー、ブラック等の何れであるかが外部から容易に識別することができる。
そして、これらラベルの容器への貼着によって、トナーを容器に充填する以前に行っていたのでトナー本体への熱の影響は考える必要はなかった。
【０００３】
しかし、最近ではトナーを容器に充填した状態でその容器外面にラベルを貼る必要性がある場合が生じ、その場合はトナー本体へ熱がかかるシュリンク方式はトナーを変質させることから好ましくない。また熱をかけることに伴う大きな設備が必要であり、地球温暖化に影響を及ぼす二酸化炭素の発生を増やすことにもなる。そのため、近年では熱を必要とせずにラベルの弾力性のみで装着が可能なストレッチラベルが用いられるようになっている。このような傾向はトナー容器に限らず、その他の粉体容器においても同様に言えることである。
【０００４】
例えば、炭酸飲料等が充填されるＰＥＴ製ボトル等の容器にストレッチラベルを装着する方法として、ストレッチラベルを筒状に形成し、このストレッチラベルの内面に滑り防止手段を設け、拡縮自在な拡開手段をストレッチラベル内に挿入した後に、該拡開手段でストレッチラベルの該滑り防止手段の部分を拡開し、ストレッチラベルを拡開させた状態で容器に外嵌する方法が知られている（例えば特許文献１参照。）。
【０００５】
【特許文献１】特公平７−６６２３５号公報
【発明の開示】
【発明が解決しようとする課題】
【０００６】
しかしながら、従来においては、拡開手段は必ずしも簡単なものとは言えず、また、ストレッチラベルの滑り防止手段が設けられた個所は大きく引っ張られるため、ラベルの伸縮性が損なわれるといった不具合がある。また、角型（角がある）の容器にストレッチラベルを装着する際、ストレッチラベルが角に引っ掛かり傷が付いてしまう不具合が懸念される。
【０００７】
本発明は、上記従来技術の問題点を解決し、角型の容器であってもストレッチラベルを傷付けることなく、所定の位置に簡易にかつ精度良くセットすることができるトレッチラベル装着治具及び装着方法を提供することを目的とする。
【課題を解決するための手段】
【０００８】
（１）上記目的を達成するため、本発明は、容器外面にストレッチラベルを装着する際に用いられる治具であって、少なくとも下記の複数のＡ部材、複数のＢ部材およびＣ部材からなることを特徴とする。
（Ａ部材）可撓性を有し前記容器外面に摺接し得る板状の摺接部材、
（Ｂ部材）前記容器の外面で少なくとも一部を囲い得る形状を有し内外の方向に開閉可能である開閉部材と、一つのＡ部材を保持し前記開閉部材の開動とともに前記ストレッチラベルを内側から押し広げ得るラベル押圧部材とを有するアダプタ、
（Ｃ部材）前記容器を適宜余裕を以って収容し得る該容器の外形形状と略同様の内形形状を有するとともに、複数のＢ部材を開閉可能に保持する枠体部材。
【０００９】
（２）Ａ部材に、左右両端の下方から上辺に向って傾斜する二つの傾斜辺を設けたことを特徴とする。
【００１０】
（３）Ａ部材に、前記容器の角を覆い得る少なくとも一つの湾曲形状を含むことを特徴とする。
【００１１】
（４）Ａ部材が、前記ストレッチラベルの高さ幅と同一の高さ幅を有することを特徴とする。
【００１２】
（５）Ａ部材が、前記ストレッチラベルの高さ幅より適度に大きい高さ幅か、逆に適度に小さい高さ幅を有することを特徴とする。
【００１３】
（６）Ａ部材が、樹脂性フィルムで構成されることを特徴とする。
【００１４】
（７）Ａ部材が、厚さ１０〜２００μｍであることを特徴とする。
【００１５】
（８）Ｂ部材に、Ｃ部材との連結に際しＣ部材の対応する位置の形状と略同一の形状を与えたことを特徴とする。
【００１６】
（９）Ｂ部材に、前記容器の角を囲い得る少なくとも一つの湾曲形状を含むことを特徴とする。
【００１７】
（１０）Ｂ部材の前記ラベル押圧部材の両側端に、前記ストレッチラベルを所定の角度で外側に広げる第２押圧部材を設けたことを特徴とする。
【００１８】
（１１）Ｂ部材の前記ラベル押圧部材に、内方の斜め上方に向く所定の傾斜角度を与えたことを特徴とする。
【００１９】
（１２）Ｃ部材に、前記容器の角を囲い得る少なくとも一つの湾曲形状を含むことを特徴とする。
【００２０】
（１３）各Ｂ部材とＣ部材との間に、各Ｂ部材の開閉可能となる動作性を保持しつつ双方を連結する複数の連結部材を備えることを特徴とする。
【００２１】
（１４）前記各連結部材のうち所定の連結部材同士の間、もしくは所定の連結部材とＣ部材との間にバネを装着して各Ｂ部材に閉動力を与えることを特徴とする。
【００２２】
（１５）前記バネの復帰力が、０．１〜３．０ｋｇであることを特徴とする。
【００２３】
（１６）Ｃ部材に、Ｂ部材の開動にロックを掛けるロック部材を設け、
Ｂ部材に、該ロック部材に係合する被ロック部を設けたたことを特徴とする。
【００２４】
（１７）Ｃ部材の前記ロック部材に、鍵状の係止突起を設け、
Ｂ部材の被ロック部が、該係止突起に係合するＢ部材の一部に形成した開口からなることを特徴とする。
【００２５】
（１８）Ｃ部材に、もしくはＣ部材と前記ロック部材との間に、Ｂ部材の前記被ロック部との係合を解除するロック解除部材を設けたことを特徴とする。
【００２６】
（１９）Ｃ部材の高さで、前記ストレッチラベルの装着位置を規制することを特徴とする。
【００２７】
（２０）前記容器が所謂四角型状の角型である場合、前記Ｂ部材の開閉部材が該容器の一側面及び該一側面の両端側の一対向する両側面の一部を囲うコ字状の形状を有し、Ｃ部材は所謂四角形状の角型の形状を有することを特徴とする。
【００２８】
（２１）前記（１）または（８）乃至（１１）の何れかに記載の複数のＢ部材の前記各ラベル押圧部材の外側に前記ストレッチラベルを位置させ、
各Ｂ部材を開動させ、各Ｂ部材の前記各ラベル押圧部材で前記ストレッチラベルを外方に押し広げるとともに、
前記（１）または（１２）乃至（１８）の何れかに記載のＣ部材のロック部材で各Ｂ部材の開動にロックを掛け、
Ｃ部材の下方より、Ｃ部材の内側、各Ｂ部材の内側、前記（１）乃至（７）の何れかに記載の各Ａ部材の内側の順に前記容器を収容させ、
前記ストレッチラベルを前記容器の外周面の方向に押し当てるとともに、一体状態のＡ部材、Ｂ部材、及びＣ部材を下方に移動させるか、あるいは前記容器を上方に移動させるかすることで、
当該相対的な移動とともに前記ストレッチラベルを前記容器の外周面に装着することを特徴とする。
【発明の効果】
【００２９】
本発明によれば、角型の容器であってもストレッチラベルを傷付けることなく所定の位置に簡易にかつ精度良くセットすることができ、しかも構成が簡易でコスト的にも有利である。
【発明を実施するための最良の形態】
【００３０】
以下、添付図面を参照して、本発明の一実施の形態を説明する。図１は本実施の形態に係るストレッチラベル装着治具の構成を示す斜視図である。本例のストレッチラベル装着治具１１は、図１に示すように、比較的柔らかく可撓性を有し前記容器外面に摺接し得る板状の摺接部材（以下、Ａ部材と称する）１３と、前記容器の外面で少なくとも一部を囲い得る形状を有し内外の方向に開閉可能である開閉部材１５、及び一つのＡ部材を保持し該開閉部材１５の開動とともにストレッチラベルＳｌを内側から押し広げ得るラベル押圧部材１７を有するアダプタ（以下、Ｂ部材と称する）１９と、トナー容器Ｔｖ等を適宜余裕を以って収容し得るようトナー容器Ｔｖ等の外形形状と略同様の内形形状を有するとともに、複数のＢ部材１９を開閉可能に保持する枠体部材（以下、Ｃ部材と称する）２１との組み合わせから構成されている。
【００３１】
Ａ部材１３、Ｂ部材１９、Ｃ部材２１は、トナー容器Ｔｖ等の横方向の輪郭形状（外側面形状）に対応した形状を有するものであり、トナー容器Ｔｖ等が四角形状の角型である場合、その角型に対応すべく角型の形状的構成を有するものである。詳しくは後述する。
【００３２】
Ａ部材１３は、例えば樹脂性フィルムを用いて比較的に柔らかく、かつ可撓性を有するように一枚の板状に構成されており、各Ｂ部材１９のラベル押圧部材１７の例えば内面側に接着剤等を用いて貼付されている。Ａ部材１３の厚さは１０〜２００μｍであることが最適な可撓性を得る上で好ましく、これによりストレッチラベルＳｌの収容性、即ち通過性、摺接性が向上する。
【００３３】
Ａ部材１３は、左右両端の下方から上辺に向って傾斜する二つの傾斜辺２３を設けて先端の横幅が根元側の横幅よりも狭くし、所謂台形の形状を有することがトナー容器Ｔｖとの摺動性を向上させる上で好ましい。先端の横幅が狭くなることで先端側がより撓み易くなりストレッチラベルＳｌの収容性、即ち通過性、摺接性が向上し、ストレッチラベル装着の作業性が安定する。
【００３４】
Ａ部材１３の高さ幅はストレッチラベルＳｌの高さ幅と同一の高さ幅を有することも作業性を向上させる上で好ましい態様である。但し、Ａ部材１３の高さ幅はストレッチラベルＳｌの高さ幅より適度（例えば＋５ｍｍ等）に大きい高さ幅か、逆に適度（−５ｍｍ等）に小さい高さ幅を有するようにしても良い。
【００３５】
Ａ部材１３が、仮にトナー容器Ｔｖ等の角を覆う場合、Ａ部材１３のその角に対応する縦方向には少なくとも一つの湾曲形状（所謂Ｒ）を含むか、湾曲形状に容易に撓み易くするかすることがストレッチラベルＳｌを保護する上で好ましく、あるいはトナー容器Ｔｖ等が多角形であり複数の角に対応する場合はそれに応じて複数の湾曲形状（所謂Ｒ）を含む等することが同様の観点から好ましい。これらによりストレッチラベル装着の作業に際してストレッチラベルＳｌに不具合（例えば亀裂、損傷等）が生じることを有効に回避することが可能であり、品質を管理する上でも、また作業性の向上を図る上でも有益に作用する。
【００３６】
各Ｂ部材１９は、トナー容器Ｔｖ等の外形形状の所定の一部を囲う形状に加工することが好ましく、トナー容器Ｔｖ等が多角形である場合、その角の部分に対応して、即ちその角の部分に沿って開閉部材１５及びラベル押圧部材１７ともに一または複数の湾曲部分（所謂Ｒ）を有することがストレッチラベルＳｌを保護し、かつラベル装着の作業性を向上させる上で好ましい。
【００３７】
但し本例の場合、Ｂ部材１９は、トナー容器Ｔｖ等が横に四角形の形状を含む角型であるため、Ｂ部材１９における開閉部材１５の部分が角型のトナー容器Ｔｖ等の一つの側面及び該側面の両端の二箇所の角を囲うべく、上面視コ字状の形状を有するものであり、本例では、角型のトナー容器Ｔｖ等を左右の二方向から囲うべく、二つのＢ部材１９が左右に対向して互いに内外の方向に開閉可能となるようにＣ部材２１に配設されている。勿論、Ｂ部材１９における開閉部材１５の二箇所の角にもトナー容器Ｔｖ等の角に対応して湾曲部分（所謂Ｒ）を形成することが好ましい。
【００３８】
Ｂ部材１９は、開閉部材１５が上面視コ字状の形状を呈するとともに、開閉部材１５の上方側には長手方向の凡そ半分の領域を閉塞する天板１５ａが設けられており、天板１５ａの内側の一端には該一端から上方に突出する如く平板状のラベル押圧部材１７が設けられている。平板状のラベル押圧部材１７の内面にはＡ部材１３が例えば接着剤等により貼付けられている。
【００３９】
平板状のラベル押圧部材１７には、内方の斜め上方に向く所定の傾斜角度（例えば３０°〜６０°）を与えることが、トナー容器Ｔｖ等を収容（通過、摺接）する際のＡ部材１３の抵抗を低減する上で好ましく、かつＡ部材１３の可撓性に伴うトナー容器Ｔｖ等の収容性（通過性、摺接性）を良好にする上で好ましい。
【００４０】
平板状のラベル押圧部材１７の両端にはストレッチラベルＳｌを所定の角度で外側に広げる第２押圧部材１７ａが設けられている。第２押圧部材１７ａは、本例では三角形状の平板の構成を呈しており、ラベル押圧部材１７の両端から内方を向くとともに例えば９０°＋１０°〜２０°程度外側に開いた状態で設けられている。
【００４１】
Ｂ部材１９は、全体的に樹脂やステンレス等の金属から構成されており、開閉部材１５、天板１５ａ、ラベル押圧部材１７、及び、第２押圧部材１７ａの各々はネジ止めすることで一体に組み立てても良く、あるいはあらかじめ一体に射出成形したものでも良く、もしくは曲げ加工することで組み立てを行ったものでも良い。
【００４２】
各Ｂ部材１９には、Ｃ部材との間に、双方のＢ部材１９の開閉可能となる動作性を保持しつつ各Ｂ部材１９及びＣ部材２１を連結する複数の連結部材３１が設けられている。複数の連結部材３１の構成等については後述する。
【００４３】
一方、各Ｂ部材１９の開閉部材１５の開閉移動の方向の側面、即ち長手方向の側面には、Ｃ部材２１のロック部材５１に係合する被ロック部としての開口１５ｂが形成されている。Ｃ部材２１のロック部材５１については後述する。
【００４４】
Ｃ部材２１は、トナー容器Ｔｖ等をある程度の余裕をもって囲い得る、換言すればトナー容器Ｔｖ等をある程度の余裕をもって収容（通過）し得るようにトナー容器Ｔｖ等の横方向の外形形状と略同様の内形形状を有する四角形状の枠体部材からなるが、枠体部材の角型のトナー容器ＴＶ等の角を囲う部分にはＢ部材１９と同様に湾曲形状（所謂Ｒ）を含むことが好ましい。
【００４５】
Ｃ部材２１の高さは、ストレッチラベルＳｌの装着位置を規制する高さに設定することが好ましく、これによりトナー容器Ｔｖ等へのストレッチラベル装着の位置合わせを含む作業性を向上させることができる。
【００４６】
ところで、本例では、各Ｂ部材１９とＣ部材２１とを、各Ｂ部材１９を開閉可能の動作性を保持しつつ連結する各連結部材３１には、Ｂ部材１９における開閉部材１５のトナー容器Ｔｖ等の角側を囲うための比較的狭面積の左右の側面部材１５ｃの所定位置（縦の二箇所）に装着した回動軸４１、及びＣ部材２１の対応する側面の所定位置（縦の二箇所）に装着した回動軸４１に対し回動自在に組付けたアームの構成が採用されている。
【００４７】
また、Ｂ部材１９の各側面部材１５ｃの下側の位置の回動軸４１、及びＣ部材２１の各対応する側面の上側の回動軸４１の間にはスプリング（特許請求の範囲に記載のバネに相当）４３が装着されている。各Ｂ部材１９を開動させた場合、各連結部材（アーム）３１がＣ部材２１側の回動軸４１を支点に外方に回動し水平の状態に至る。この間、各スプリング４３が伸張して各Ｂ部材１９に復帰力（閉動力）を与える。
【００４８】
各スプリング４３の弾力は、例えば０．１〜３．０Ｋｇ程度に設定することが各Ｂ部材１９の開閉動作の操作性を良好にする上で好ましく、これによりストレッチラベル装着の作業性を向上させることも可能となる。
【００４９】
一方、Ｃ部材２１に備えるロック部材５１は、外側に位置し例えば横の長方形状を有する操作板５３と、内側に位置し例えば操作板５３の高さよりも低い高さで同じく横の長方形状を有するとともに上端辺に外方（操作板５３を向く方向）に突出する鍵状の係止突起を有するロック板５５と、操作板５３及びロック板５５の下端側を所定間隔をあけて固定する底板とを備えて構成されている。
【００５０】
ロック板５５の複数箇所には、所定の開口（図示せず）が形成されており、Ｃ部材２１の対応する側面に設けられた例えば棒状の支持体（図示せず）が挿通されている。ロック板５５の背面（Ｃ部材２１に対向する面）とＣ部材２１との間には、例えば支持体を包囲するコイルスプリング（図示せず）が設けられており、該コイルスプリングの反発力で常時ロック部材５１を外方に所定寸法分押圧している。操作板５３の背面（ロック板５５に対向する面）には、ロック部材５１の往復移動（操作性）をスムーズにすべく、ロック板５５の開口を挿通する棒状の支持体を摺動自在に収容する例えばパイプ状の突起（図示せず）が設けられている。パイプ状の突起及び棒状の支持体には双方の抜け防止を図る係合部等を形成することが望ましい。
【００５１】
尚、操作板５３、及び、支持体により特許請求の範囲に記載のロック解除部材が構成されている。
【００５２】
手作業で、左右のＢ部材１９を最大に開動させた場合、各Ｂ部材１９の被ロック部としての開口１５ｂがＣ部材２１に備わる各ロック部材５１のロック板５５の鍵状の係止突起に係合し、これにより各Ｂ部材１９の開動にロックが掛かる。各ロック部材５１の操作板５３をプッシュすると、コイルスプリングの反発力に抗して各ロック部材５１がＣ部材２１側に移動して各Ｂ部材１９のロック状態を解除し、各Ｂ部材１９を閉動させることが可能となる。各Ｂ部材１９の閉動に際しては各連結部材（アーム）３１に備わるスプリングの収縮力が作用するため一切手を触れる必要が無く、この点使い勝手に優れ、かつ作業性にも優れる。
【００５３】
次に、本実施の形態に基づくストレッチラベル装着方法について説明する。まず、図２に示すように、双方のＢ部材１９の各ラベル押圧部材１７の外側にストレッチラベルＳｌを位置させ、次いで双方のＢ部材１９を開動させ、双方のＢ部材１９の各ラベル押圧部材１７でストレッチラベルＳｌを外方に押し広げるとともに、Ｃ部材２１のロック部材５１で双方のＢ部材１９の開動にロックを掛ける。ストレッチラベルＳｌを押し広げた状態が保持される。尚、ストレッチラベルＳｌは、双方のＢ部材１９の天板１５ａに接するまで位置を合わせることでトナー容器Ｔｖに対する装着位置の位置決めを正確に行うことが可能となる。次いでＡ部材１３、Ｂ部材１９、及び、Ｃ部材２１を一体に構成したストレッチラベル装着治具１１を下方のストレッチラベルＳｌの方向へ移動させる。
【００５４】
ストラッチラベル装着治具１１の下方移動に伴い、図３に示すように、トナー容器Ｔｖを、Ｃ部材２１の内側、Ｂ部材１９の内側、及び、Ａ部材１３の内側の順に、各々の内側へ収容（通過）させ、かつトナー容器Ｔｖの底面位置とＣ部材２１の底面位置との高さ位置を同一に合わせる。この位置合わせは、例えばテーブルのような作業台を使用することで容易に可能となり、かつ位置合わせの精度も良好に保つことができる。
【００５５】
次いで、例えば手作業でストレッチラベルＳｌをトナー容器Ｔｖの外周面の方向に押し付けるとともに、トナー容器Ｔｖを一定の位置に押え、しかる状態の下で、ストレッチラベル装着治具１１を下方の方向に移動させ、Ｃ部材２１、Ｂ部材１９、及び、Ａ部材１３の順にトナー容器Ｔｖから各々を離れさせる。このストレッチラベル装着治具１１の下方移動をもってトナー容器Ｔｖの外周面に押し付けていたストレッチラベルＳｌがその上方端から下方端に向って順々にトナー容器Ｔｖの外周面の所定位置に装着されてゆく（図４参照）。
【００５６】
しかる状態の後、Ｃ部材２１の各ロック部材５１を押圧して双方のＢ部材１９を元の位置へ閉動させると、次のトナー容器ＴｖにストレッチラベルＳｌを装着することが可能となる。
【００５７】
本実施の形態においては、樹脂フィルムからなるＡ部材１３、開閉動作可能のＢ部材１９、及び、ラベル位置を規制し得るＣ部材２１を以ってストレッチラベル装着治具１１を構成したため、角型のトナー容器ＴｖであってもストレッチラベルＳｌを傷付けることなく所定の位置に簡易にかつ精度良くセットすることができ、しかも構成が簡易でコスト的にも有利である他、例えば電子写真現像用のトナーの少量多品種化に伴う容器の多様化にも容易に対応することができる。
【図面の簡単な説明】
【００５８】
【図１】本発明の一実施の形態に係るストレッチラベル装着治具の構成を説明する斜視図である。
【図２】一実施の形態に係るストレッチラベル装着治具を用いてストレッチラベルをトナー容器の外周面の所定位置に装着する装着方法の前段の具体例を説明する説明図である。
【図３】一実施の形態に係るストレッチラベル装着治具を用いてストレッチラベルをトナー容器の外周面の所定位置に装着する装着方法の後段の具体例を説明する説明図である。
【図４】トナー容器の外周面の所定位置にストレッチラベルを装着した状態を説明する説明図である。
【符号の説明】
【００５９】
１１  ストレッチラベル装着治具
１３  Ａ部材（摺接部材）
１５  開閉部材
１５ａ  天板
１５ｂ  開口（被ロック部）
１５ｃ  側面部材
１７  ラベル押圧部材
１７ａ  第２押圧部材
１９  Ｂ部材（アダプタ）
２１  Ｃ部材（枠体部材）
２３  傾斜辺
３１  連結部材（アーム）
４１  回動軸
４３  スプリング
５１  ロック部材
５３  操作板
５５  ロック板
Ｓｌ  ストレッチラベル
Ｔｖ  トナー容器
【図１】
2005263232.tif 000003
【図２】
2005263232.tif 000004
【図３】
2005263232.tif 000005
【図４】
2005263232.tif 000006